(57)【要約】【課題】複数の異なる無線アクセス技術のセルで待ち受け及び通信が可能な移動端末において、移動端末の動作状態を考慮して、適正な無線アクセス技術のセルの選択を可能にする技術を提供する。【解決手段】開示の技術の一側面は、移動端末であって、前記移動端末が利用しうる無線アクセス技術の選択に用いられるセル選択データパターンを、前記移動端末がとりうる動作状態に関連付けて記憶する記憶装置と、前記移動端末の動作状態に基づいて前記記憶装置から選択されるセル選択データパターンを用いて前記移動端末が利用しうる無線アクセス技術の１つを選択し、当該選択された無線アクセス技術を用いてセルとの接続処理を行う制御装置と、を含む。【選択図】図２
2014045445.tif 000002
【特許請求の範囲】
【請求項１】
移動端末であって、
前記移動端末が利用しうる無線アクセス技術の選択に用いられるセル選択データパターンを、前記移動端末がとりうる動作状態に関連付けて記憶する記憶装置と、
前記移動端末の動作状態に基づいて前記記憶装置から選択されるセル選択データパターンを用いて前記移動端末が利用しうる無線アクセス技術の１つを選択し、当該選択された無線アクセス技術を用いてセルとの接続処理を行う制御装置と
を含む移動端末。
【請求項２】
前記セル選択データパターンは、前記移動端末が利用しうる無線アクセス技術毎に、当該無線アクセス技術を選択する順序の制御に用いられる優先度が設定されており、
前記制御装置は、前記移動端末の動作状態に基づいて前記記憶装置から選択されるセル選択データパターンが有する前記無線アクセス技術毎の優先度を用いて、前記移動端末が利用しうる無線アクセス技術を選択する順序を制御する、
ことを特徴とする請求項１の移動端末。
【請求項３】
前記記憶装置は、前記移動端末がとりうる動作状態が消費電力を抑制する必要性の大きい動作状態である程、当該動作状態に関連付けられた前記セル選択データパターンが有する前記無線アクセス技術のうち消費電力が少ない無線アクセス技術の優先度が高くなるように設定されている、
ことを特徴とする請求項１又は２の移動端末。
【請求項４】
前記記憶装置は、前記移動端末がとりうる動作状態が消費電力を抑制する必要性の小さい動作状態である程、当該動作状態に関連付けられた前記セル選択データパターンが有する前記無線アクセス技術のうち伝送速度が高い無線アクセス技術の優先度が高くなるように設定される、
ことを特徴とする請求項１から３のいずれか１項の移動端末。
【請求項５】
前記移動端末がとりうる動作状態とは、前記移動端末が備えるバッテリの残量、及び／又は、前記移動端末が利用可能なアプリケーション機能であり、
前記記憶装置における、前記移動端末がとりうる動作状態と前記セル選択データパターンとの関連付けは、前記移動端末が備えるバッテリの残量が少ない程、前記移動端末がとりうる動作状態が消費電力を抑制する必要性の大きさが増す関係にあり、及び／又は、前記移動端末が利用可能なアプリケーション機能の消費電力が多い程、前記移動端末がとりうる動作状態が消費電力を抑制する必要性の大きさが増す関係にある、
ことを特徴とする請求項３又は４の移動端末。
【請求項６】
前記制御装置は、前記移動端末の待ち受け中に、前記バッテリの残量レベルが変動したときに、現在使用中の機能に応じて前記無線アクセス技術の選択に用いられるセル選択データパターンを選択する、
請求項５に記載の移動端末。
【請求項７】
前記制御装置は、前記移動端末の待ち受け中に、前記移動端末で使用される機能が変更されたときに、変更後の機能に応じて前記無線アクセス技術の選択に用いられるセル選択データパターンを選択する、
請求項５に記載の移動端末。
【請求項８】
前記制御装置は、前記移動端末の通信中に前記バッテリの残量レベルが変動したときに、現在使用中の機能に応じて前記無線アクセス技術の選択に用いられるセル選択データパ
ターンを選択する、
請求項５に記載の移動端末。
【請求項９】
前記制御装置は、前記移動端末の通信中に、前記移動端末で使用される機能が変更されたときに、変更後の機能に応じて前記無線アクセス技術の選択に用いられるセル選択データパターンを選択する、
請求項５に記載の移動端末。
【請求項１０】
移動端末が、
前記移動端末がとりうる動作状態と関連付けて記憶された前記移動端末が利用しうる無線アクセス技術の選択に用いられるセル選択データパターンから一のセル選択データパターンを、前記移動端末の動作状態に基づいて選択し、
前記選択されたセル選択データパターンを用いて前記移動端末が利用しうる無線アクセス技術の１つを選択し、
前記選択された無線アクセス技術を用いてセルとの接続処理を行う
ことを含む移動端末のセル選択方法。
【発明の詳細な説明】
【技術分野】
【０００１】
本開示は、移動端末に関する。
【背景技術】
【０００２】
階層セル構造で互いに異なる優先順位を有する複数のセル情報を受信し、受信されたセル情報及びバッテリ残量に応じて、セル測定基準を再設定して、該再設定された測定基準に応じて測定されたセルの中からセルを選択して接続する技術がある（例えば、特許文献１）。
【０００３】
移動通信端末において、速度情報とバッテリ残量とに基づき、受信品質と消費電力とに影響を与える少なくとも１つの通信パラメータを選択し、選択した通信パラメータを送受信部に設定する技術がある（例えば、特許文献２）。
【０００４】
バッテリ残量に応じて、ネットワーク制御装置及び移動端末における位置登録エリアを動的に変化させ、移動端末のバッテリ消費を改善する位置登録制御システムがある（例えば、特許文献３）。
【０００５】
電池の残容量や消費電流および端末の移動速度を基にして通信レートを決定し、更に通信パラメータの設定を行って、電池の状態に応じた通信が行われるようにする技術がある（例えば、特許文献４）。
【先行技術文献】
【特許文献】
【０００６】
【特許文献１】特開２００７−９７１２２号公報
【特許文献２】特開２００９−１７０９８１号公報
【特許文献３】特開２０１０−８１３４２号公報
【特許文献４】特開２００８−１８２３７８号公報
【発明の概要】
【発明が解決しようとする課題】
【０００７】
移動端末において消費電力の低減（バッテリセービング）を図ることは、重大な課題となっている。近年、ＬＴＥ（Long Term Evolution）等の高速通信可能な通信規格のサー
ビス開始、及び、スマートフォン等の消費電力の高い移動端末の普及に伴い、当該課題は、ますます重要視されてきている。
【０００８】
一般的に、高速通信可能な無線アクセス技術（ＲＡＴ：radio access technology）の
通信規格では、利用される周波数帯域が広くなるため、移動端末の消費電力が大きくなることが知られている。また、ユーザの使用環境や使用条件によって高速通信が求められない場合が考えられる。
【０００９】
特に、バッテリ残量が低下しているような状況下において、消費電力を抑えたいとユーザが望むにも関わらず、消費電力の大きい、高速通信が可能なＲＡＴのセルでの在圏を維持すると、バッテリの駆動時間が短くなってしまう。
【００１０】
開示の技術の一側面は、複数の異なる無線アクセス技術のセルで待ち受け及び通信が可能な移動端末において、移動端末の動作状態を考慮して、適正な無線アクセス技術のセルの選択を可能にする技術を提供することである。
【課題を解決するための手段】
【００１１】
開示の技術の一側面は、移動端末であって、
前記移動端末が利用しうる無線アクセス技術の選択に用いられるセル選択データパターンを、前記移動端末がとりうる動作状態に関連付けて記憶する記憶装置と、
前記移動端末の動作状態に基づいて前記記憶装置から選択されるセル選択データパターンを用いて前記移動端末が利用しうる無線アクセス技術の１つを選択し、当該選択された無線アクセス技術を用いてセルとの接続処理を行う制御装置と、
を含む。
【発明の効果】
【００１２】
開示の技術の一側面によれば、移動端末の動作状態を考慮して、適正な無線アクセス技術のセルの選択が可能となる。
【図面の簡単な説明】
【００１３】
【図１】図１は、実施の形態に係る移動端末によるサービングセルの選択例を示す。
【図２】図２は、実施の形態に係る移動端末を例示する。
【図３】図３は、実施の形態に係るセービングモードデータを例示する。
【図４】図４は、実施の形態に係るバッテリ容量とバッテリ残量レベルとの相関を例示する。
【図５】図５は、実施の形態に係るセル選択データテーブルを例示する。
【図６Ａ】図６Ａは、実施の形態に係る移動端末の各構成要素の関係を例示する。
【図６Ｂ】図６Ｂは、実施の形態に係る移動端末の各構成要素の関係を例示する。
【図６Ｃ】図６Ｃは、実施の形態に係る移動端末の各構成要素の関係を例示する。
【図６Ｄ】図６Ｄは、実施の形態に係る移動端末の各構成要素の関係を例示する。
【図６Ｅ】図６Ｅは、実施の形態に係る移動端末の各構成要素の関係を例示する。
【図７Ａ】図７Ａは、実施の形態に係る移動端末の各構成要素の関係を例示する。
【図７Ｂ】図７Ｂは、実施の形態に係る移動端末の各構成要素の関係を例示する。
【図７Ｃ】図７Ｃは、実施の形態に係る移動端末の各構成要素の関係を例示する。
【図７Ｄ】図７Ｄは、実施の形態に係る移動端末の各構成要素の関係を例示する。
【図７Ｅ】図７Ｅは、実施の形態に係る移動端末の各構成要素の関係を例示する。
【図８】図８は、実施の形態に係る移動端末においてバッテリ残量が低下した際の動作例を示す。
【図９】図９は、実施の形態に係る移動端末において利用される機能の変更が検知された際の動作例を示す。
【図１０】図１０は、実施の形態に係る移動端末における待ち受けセルの再選択に係る動作例を示す。
【図１１】図１１は、実施の形態に係る移動端末におけるハンドオーバに係る動作例を示す。
【発明を実施するための形態】
【００１４】
以下、本発明の一側面に係る実施の形態（「本実施形態」とも表記する）を、図面に基づいて説明する。ただし、以下で説明する実施の形態は、あらゆる点において本発明の例示に過ぎず、その範囲を限定しようとするものではない。本発明の範囲を逸脱することなく種々の改良や変形を行うことができることは言うまでもない。つまり、本発明の実施にあたって、本実施の形態に応じた具体的要素が適宜採用されてもよい。
【００１５】
なお、本実施形態において登場するデータは、自然言語により説明される。しかしながら、これらのデータは、具体的には、コンピュータが認識可能な疑似言語、コマンド、パラメータ、マシン語等で指定される。
【００１６】
［サービングセルの選択例］
図１は、本実施形態に係る移動端末１によるサービングセルの選択例を示す。本実施形態に係る移動端末１は、複数の異なるＲＡＴのセルを選択して待ち受け、複数のＲＡＴから選択したセルが属するＲＡＴの基地局に対する接続処理を行い、通信を行うことができる。
【００１７】
移動端末１は、バッテリの残量と利用可能な機能との複数の組み合わせに対応する、相互に異なる複数の無線アクセス技術（ＲＡＴ）によって形成される複数のセルの１つを選択するための複数のセル選択データパターンを記憶する記憶装置を含む。
【００１８】
ここで、利用可能な機能とは、例えば、ワンセグ機能、音楽／動画のプレーヤー機能、カメラ機能等、移動端末１において実行可能なアプリケーション機能及び通信サービス（電子メール，音声通話，音声／ビデオのストリーミングサービス等）を享受する機能を含む。移動端末１において利用可能な機能は、これらに限られる訳ではなく、実施の形態に応じて、適宜、選択される。
【００１９】
また、図１では、複数種の異なるＲＡＴ（無線アクセス技術）の一例として、ＬＴＥ、ＵＭＴＳ（Universal Mobile Telecommunication System）、ＧＳＭ（Global System for
Mobile communications）が挙げられている。ＲＡＴの種類は、これらに限られる訳ではなく、実施の形態に応じて、適宜、選択される。ＲＡＴは、さらに無線ＬＡＮを含むことができる。したがって、移動端末は、いわゆるセルラーフォンのみでなく、セルラーフォン機能と無線ＬＡＮ端末機能とを備えた移動端末（いわゆるスマートフォン）を含むことができる。
【００２０】
なお、図１では、ＬＴＥの基地局によって形成されるセル（ＬＴＥのセル）は、実線で表わされている。また、ＵＭＴＳの基地局によって形成されるセル（ＵＭＴＳのセル）は、点線で表わされている。更に、ＧＳＭの基地局によって形成されるセル（ＧＳＭのセル）は、一点鎖線で表わされている。
【００２１】
本実施形態では、ＬＴＥ、ＵＭＴＳ、ＧＳＭの順に高速通信可能な、消費電力が大きいＲＡＴであると仮定している。つまり、ＬＴＥのセルでは、移動端末１は、高速通信が可能である一方で、消費電力が大きくなってしまう。他方、ＧＳＭのセルでは、移動端末１は、消費電力を抑えることができるものの、通信速度が遅くなってしまう。
【００２２】
そして、移動端末１は、上記複数のセル選択データパターンから選択されるセル選択データパターンを用いて、省電力のための前記複数のセルの１つに対する接続処理が実行されるためのパラメータ設定を行う制御装置を含み、設定されたパラメータの値を適用して、通信に利用するセルの選択を実行する。
【００２３】
なお、実行されるセルの選択には、少なくとも、待ち受け時のサービングセルを再設定するセル再選択（Cell Reselection）、通信中においてサービングセルを変更するハンドオーバ（Hand Over）、及び、圏外遷移時のセルサーチのうちのいずれかが含まれる。本
実施形態では、実行されるセルの選択にこれらすべてが含まれる場合を説明する。
【００２４】
また、本実施形態において、セル再選択及びハンドオーバは、移動端末１が移動しなくても生じる場合がある。図１では、移動端末１が移動していない状態で、セル再選択又はハンドオーバにより、移動端末１のサービングセルがＬＴＥセルからＵＭＴＳセルに変更された場面が例示されている。
【００２５】
これにより、本実施形態に係る移動端末１では、バッテリ残量と利用可能な機能との組み合わせに対応する複数のセル選択データパターンから選択されたセル選択データパターンを用いてセルの選択に関するパラメータ設定が実行される。そして、当該パラメータの値が適用され、通信に利用するセルの選択が実行される。このとき、セル選択、すなわち、移動端末１の接続先のセルの変更によって、移動端末１の消費電力の低減が図られるセル選択データパターンが選択される。
【００２６】
従って、本実施形態によれば、複数の異なるＲＡＴのセルで待ち受け及び通信が可能な移動端末において、バッテリ残量及び利用可能な機能を含む、移動端末の動作状態を考慮した、消費電力の低減等を目的とした適正なＲＡＴのセルの選択が可能となる。
【００２７】
移動端末１が備える記憶装置は、現在のバッテリ残量と利用中の機能の消費電力とに応じて、サービングセルより消費電力が小さいターゲットセルへの接続処理が実行されるための前記複数のセル選択データパターンを記憶する、ように構成することができる。これにより、バッテリ残量及び移動端末の機能の動作状況に応じた省電力効果を得ることができる。
【００２８】
また、移動端末１は、ユーザによる設定に応じて、セル選択データパターンを利用したセルの選択を実行するか否かを制御してもよい。すなわち、移動端末１は、セル選択データパターンを用いたパラメータ設定が実行されるバッテリセービング機能のオン及びオフを設定するためのユーザインタフェース（以下、「ＵＩ」とも表記）をさらに含むことができる。ＵＩは、例えば、ボタン、キー、タッチパネルのような様々な入力装置を含むことができる。当該構成の採用によって、移動端末１のユーザが所望するタイミングで、セル選択データパターンを利用したセルの選択が実行可能になる。
【００２９】
本実施形態では、セル選択データパターンを利用してセルの選択を実行することで、省電力効果が得られうる。ただし、ユーザが所望する省電力効果の特性は、場面、状況等に応じて、異なる場合がある。例えば、ユーザは、特定の機能については、消費電力の小さい低速の通信よりも、消費電力の大きい高速の通信を所望する場合がある。
【００３０】
そこで、移動端末１に対し、以下の構成を採用することができる。すなわち、移動端末１の記憶装置は、複数の消費電力レベルに応じて用意された複数のモード（図４）に対応する前記複数のセル選択データパターンを記憶し、制御装置は、複数のモードから指定されたモードに対応する前記複数のセル選択データパターンから選択されるセル選択データパターンを用いて、前記パラメータ設定を行う。
【００３１】
換言すれば、移動端末１は、省電力効果が異なる複数のモード（セービングモードと称する）に対応する複数のセル選択データパターンを記憶することができる。そして、移動端末１は、例えば、ユーザによって指定された複数のセービングモードの１つに対応する複数のセル選択データパターンからパラメータ設定に用いるセル選択データパターンが選択されるようにしても良い。これにより、ユーザは、移動端末１において、自身の所望する省電力効果が得られるようなパラメータ設定を実行することができるようになる。このとき、ユーザは、セービングモードを、例えばＵＩを介して指定するだけで済むので、簡易な操作で消費電力低減を図ることができる。
【００３２】
［移動端末］
図２は、本実施形態に係る移動端末１を例示する。図２に示されるように、移動端末１は、記憶装置１１、アプリ用ＣＰＵ（Central Processing Unit）１２、通信用ＣＰＵ１
３、バッテリ１４、ユーザインタフェース２２Ａ、ＢＢ（Baseband）回路１５、及び、ＲＦ（Radio Frequency）回路１６を備える移動体通信端末装置である。
【００３３】
なお、移動端末１の具体的な構成に関して、実施の形態に応じて、適宜、構成要素の省略、置換、及び、追加が可能である。例えば、アプリ用ＣＰＵ１２及び通信用ＣＰＵ１３は、１つのプロセッサとして一体であってもよいし、それぞれ複数のプロセッサを含んでもよい。通信用ＣＰＵ１３は、制御装置の一例である。
【００３４】
記憶装置１１は、例えば、ＲＯＭ、ＲＡＭ、ＥＥＰＲＯＭ、フラッシュメモリ、ハードディスクドライブ等の揮発性領域と不揮発性領域とを有する記憶装置である。本実施形態に係る記憶装置１１は、セービングモードデータ（図４）と、複数のセル選択データテーブルＴ（図５）を記憶する。
【００３５】
図３は、本実施形態に係るセービングモードデータのデータ構造を例示する。セービングモードデータは、セル選択データパターンを利用したセルの選択を行うか否かの制御、及び期待される省電力効果を選択するために、利用される。本実施形態では、セービングモードデータにおいて「バッテリセービング機能」が「ＯＮ」である場合に、移動端末１は、セル選択データパターンを利用したセルの選択を実行する。
【００３６】
他方、バッテリセービング機能が「ＯＦＦ」である場合には、移動端末１は、従来どおりの動作によりセルの選択を行う。例えば、移動端末１は、報知情報により指定された値をセル再選択のパラメータに適用する。また、例えば、移動端末１は、個別チャネルの信号により指定された値を測定報告（Measurement Report）のパラメータに適用する。
【００３７】
また、セービングモードデータは、複数のセル選択データパターンのうちどのセル選択データパターンを利用するかを特定するために、利用される。本実施形態では、セル選択データパターンがセルの選択に利用されることで、移動端末１において省電力効果が得られうる。移動端末１において、このセル選択データパターンを利用することで省電力効果をもたらす動作モードはセービングモードと称される。
【００３８】
上述のとおり、本実施形態では、省電力効果の特性に対するユーザの種々の要望に対応可能なように、複数のセル選択データパターンが用意される。換言すると、複数のセル選択データパターンは、セービングモードの種類に応じて用意される。
【００３９】
なお、セービングモードの種類及び数は、実施の形態に応じて、適宜設定される。例えば、特定の機能については、消費電力の小さい低速のＲＡＴのセルよりも、消費電力の大きい高速のＲＡＴのセルが選択されるように設定されたセービングモードが与えられてもよい。また、省電力効果の違いに応じて、段階的にセービングモードが設定されてもよい。
【００４０】
本実施形態では、省電力効果の違いに応じて段階的にセービングモードを設定する一例として、４段階のセービングモードが与えられている。図３により示される例では、「Ｍｏｄｅ  １」が最も省電力効果の高いセービングモードであり、「Ｍｏｄｅ  ４」が最も省電力効果の低いセービングモードである。なお、図３では、「Ｍｏｄｅ  ４」が選択されている。
【００４１】
移動端末１は、セービングモードに対応する複数のセル選択データパターンの１つを用いてセルの選択を実行することで、当該セービングモードの特性に応じた省電力効果を得る。なお、他のセル選択データパターンよりも高い省電力効果をもたらすセル選択データパターンは、例えば、当該他のセル選択データパターンに比べて、より多くの場面で低速の（消費電力の小さい）ＲＡＴのセルが選択されるように、セルの選択に関するパラメータの値が設定されている。
【００４２】
ユーザは、移動端末１のユーザインタフェース（ＵＩ）２２Ａを通じて、バッテリセービング機能を利用するか否かを設定することができる。また、ユーザは、バッテリセービング機能を利用すると設定した場合に、更に、移動端末１のユーザインタフェースを通じて、利用するセービングモードの選択を行うことができる。
【００４３】
セービングモードデータは、これらの操作に応じて、更新される。図３では、ユーザが、バッテリセービング機能を利用すると設定し、かつ、利用するセービングモードとして「Ｍｏｄｅ  ４」を選択した場合におけるセービングモードデータの状態を例示している。なお、セービングモードデータでは、デフォルトの状態において利用されるセービングモード（初期設定のセービングモード）が予め設定されていてもよい。
【００４４】
また、記憶装置１１は、バッテリ残量と利用可能な機能との組み合わせに対応する複数のセル選択データパターンを記憶する。本実施形態に係るセル選択データテーブルＴは、その一例として、バッテリ残量のレベルと、圏外、待ち受け中、通信中の移動端末１の状態に対応する複数のセル選択データパターンを管理する。
【００４５】
図４は、本実施形態に係るバッテリ容量とバッテリ残量レベルとの相関を例示する。本実施形態では、或るバッテリ容量に応じて５段階（Ｌｅｖｅｌ ０〜４）のバッテリ残量
レベルが設定されている。なお、図４に示される相関（レベル数）は例示に過ぎず、バッテリ容量とバッテリ残量レベルとの相関は、実施の形態に応じて、適宜設定されてよい。
【００４６】
図５は、本実施形態に係るセル選択データテーブルＴのデータ構造を例示する。図５に示されるセル選択データテーブルＴは、圏外時のセルサーチにおいて優先されるＲＡＴ（セルサーチ優先ＲＡＴ）、待ち受け中におけるセル再選択プライオリティ（セル再選択優先度）の値を管理するための複数のセル選択データパターン、及び、測定報告（Measurement Report）のトリガとなるEvent閾値の値を管理するための複数のセル選択データパタ
ーンを格納している。なお、図５では、セル再選択プライオリティを、「Resel Priority」と表記する。
【００４７】
図５に示されるセル選択データテーブルＴでは、待ち受け中において利用可能な機能（サービスを含む）として、ワンセグ機能（ワンセグ視聴機能）、音楽プレーヤ機能、カメラ機能が例示されている。そして、本実施形態では、ワンセグ機能、音楽プレーヤ機能、カメラ機能の順に消費電力が大きいと仮定している。
【００４８】
また、図５に示されるセル選択データテーブルＴでは、通信中において利用可能な機能（サービスを含む）として、ストリーミング機能、メール機能、音声機能（音声通話（スピーチ）機能）が例示されている。本実施形態では、ストリーミング機能、メール機能、音声機能の順に消費電力が大きいと仮定している。
【００４９】
図５に示されるセル選択データテーブルＴでは、圏外時において、バッテリ残量レベルが小さいほど、消費電力の小さい低速のＲＡＴがセルサーチ対象となる。制御装置（通信用ＣＰＵ１３）は、圏外の状態において、セルサーチ対象のＲＡＴのセルサーチを行い、残りのＲＡＴのセルサーチが規制される。一般に、移動端末１は、圏外時に、利用可能なＲＡＴのセルに係る周波数全域をサーチする。そのため、移動端末が利用可能なＲＡＴの種類が多いほど、消費電力が大きくなってしまう。
【００５０】
本実施形態では、セル選択データテーブルＴの格納内容に従って、利用可能なＲＡＴのうち、圏外時においてセルサーチを行うＲＡＴがテーブルＴに基づき決定され、残りのＲＡＴのセルサーチが規制される。これにより、移動端末１は、全ての利用可能なＲＡＴの
セルを均一にサーチしなくてもよくなり、サーチ範囲を縮小することができる。これによって、消費電力を低減することができる。
【００５１】
また、図５に示されるセル選択データテーブルＴでは、待ち受け中、及び、通信中において、利用される機能の消費電力が大きく、かつ、バッテリ残量レベルが小さいほど、消費電力の小さい低速のＲＡＴのセルが優先的に選択される設定を有する。これは、利用される機能の消費電力が大きく、かつ、バッテリ残量レベルが小さいほど、一般的に、省電力効果が求められる場面であると考えられるためである。
【００５２】
図５に示されるセル選択データテーブルＴでは、待ち受け中、及び通信中において利用可能な機能に対応する複数のセル選択データパターンが格納されている。各セルデータパターンは、バッテリ残量レベルに応じた複数のセル選択データパターンを有する。セル選択データパターンは、バッテリ残量レベルと使用される機能とにより特定されるレコードであり、セルの選択に関するパラメータに適用される値が保持されている。消費電力の小さい低速のＲＡＴのセルが選択されるような値をより多くのレコードで設定することで、省電力効果の高いセル選択データテーブルＴを作成することができる。
【００５３】
なお、セル再選択プライオリティ及びEvent閾値は、３ＧＰＰ（Third Generation Partnership Project）に規定されるセルの選択に関するパラメータの一例である。セルの選
択に関するパラメータは、これらに限定される訳ではなく、実施の形態に応じて、適宜選択されてよい。
【００５４】
ここで、３ＧＰＰに規定されているパラメータの内容は、ＲＡＴごとに異なる。そのため、セル選択データテーブルＴは、在圏可能なＲＡＴごとに用意される。さらに、セル選択データテーブルＴは、上述したセービングモードごとに用意される。図５に示すセル選択データテーブルＴは、移動端末１がＬＴＥのセルに在圏し、且つ、セービングモードが「Mode4」である場合を例示している。複数のセル選択データテーブルＴは、記憶装置１
１の不揮発性領域に、編集不可能な状態で記憶される。
【００５５】
つまり、記憶装置１１は、セービングモードの数と在圏可能なセルに係るＲＡＴの種類数とを乗じた数の件数分のセル選択データテーブルＴを記憶する。例えば、本実施形態では、４種類のセービングモードと３種類のＲＡＴとが例示されているため、記憶装置１１は、少なくとも、１２のセル選択データテーブルＴを記憶する。なお、図５の例では、機能が択一的に選択される例について説明した。複数の機能を同時に使用可能な場合には、同時に使用される機能の組み合わせに応じたセル選択データパターンがテーブルＴに格納される。
【００５６】
本実施形態では、バッテリセービング機能が「ＯＦＦ」である場合には、従来と同様、報知情報により指定されるセル再選択のパラメータの値、又は、個別チャネルの信号により指定される測定報告（Measurement Report）のパラメータの値が利用される。
【００５７】
他方、バッテリセービング機能が「ＯＮ」である場合には、セル選択データパターンで管理されるパラメータの値が、セル（再）選択、及び、測定報告（Measurement Report）の制御に適用される。また、圏外遷移時においてもセル選択データパターンで管理される優先ＲＡＴに応じて圏外遷移時のセルサーチが行われる。
【００５８】
図２に戻り、アプリ用ＣＰＵ１２は、記憶装置１１に格納されたプログラムの実行によって、バッテリセービングの設定に係るＡＰＬ（Application）処理２１、ＵＩ（User Interface）制御処理２２、バッテリ監視処理２３を実行する。すなわち、アプリ用ＣＰＵ
１２は、ＡＰＬ処理２１によるバッテリセービング機能，ＵＩ制御処理２２によるＵＩコ
ントローラとしての機能，及びバッテリ監視処理２３によるバッテリ残量レベル検出機能を実現する。ＡＰＬ処理２１は、バッテリセービングの設定に係るアプリケーションプログラムの実行によって実現される。
【００５９】
また、通信用ＣＰＵ１３は、記憶装置１１に格納されたプログラムの実行によって、セル選択制御処理３１、報知情報制御処理３２、測定制御処理３３、無線通信ＩＦ（Interface）制御処理３４を実行する。すなわち、通信用ＣＰＵ１３は、セル選択制御処理３１
によるセル選択コントローラ，報知情報制御処理３２による報知情報コントローラ，測定制御処理３３による測定コントローラ，無線通信ＩＦ制御処理３４による通信ＩＦコントローラとして機能する。なお、上記したアプリ用ＣＰＵ１２及び通信用ＣＰＵ１３で実行される複数の処理（複数の機能）の一部又は全部は、ハードウェアロジック回路によって実現することもできる。
【００６０】
なお、バッテリ監視処理２３では、図示しないバッテリセンサからの信号に基づきバッテリ１４の残量を検出する。また、無線通信ＩＦ（Interface）制御処理３４では、ＢＢ
回路１５及びＲＦ回路１６を介して、アンテナとの間でデータのやり取りが行われる。
【００６１】
図６Ａ〜Ｅは、セル選択又はセル再選択に係る移動端末１の各処理間の関係を例示するシーケンス図である。
【００６２】
ここで、以下で説明する各処理手順は一例に過ぎず、各処理は、当該各処理の前に実行された処理の結果を用いる等の従属関係がない場合等、可能な限り入れ替えられてよい。また、各処理は、可能な限り省略されてもよいし、異なる処理に置き換えられてもよい。
【００６３】
図６Ａは、セル選択を開始した移動端末１のアプリ用ＣＰＵ１２及び通信用ＣＰＵ１３の処理を例示する。まず、セル選択制御処理３１によって、報知情報制御処理３２に対し、基地局２から送信される報知情報の受信開始が指示される（Ｓ１０１）。
【００６４】
報知情報制御処理３２では、当該指示に応じて、報知情報を受信するために、無線通信ＩＦ制御処理３４を実行させる（Ｓ１０２）。この状態で、基地局２から報知情報が送信されると（Ｓ１０３）、報知情報制御処理３２は、無線通信ＩＦ制御処理３４を通じて、当該報知情報を受信する。
【００６５】
報知情報制御処理３２では、受信された報知情報からセル再選択のパラメータ（Cell Reselectionパラメータ）の値を取得し、取得したセル再選択のパラメータの値を記憶装置１１に記憶する（Ｓ１０４）。そして、これらの処理が完了すると、報知情報制御処理３２は、セル選択制御処理３１に、報知情報を受信したことを示す応答を返す（Ｓ１０５）。
【００６６】
図６Ｂは、移動端末１が待ち受け中の状態でサービングセル及び隣接セルに関する測定処理を行っている際に、移動端末１のユーザインタフェースを通じて、ユーザが、バッテリセービング機能に関する設定を変更した場合の動作を例示するシーケンス図である。
【００６７】
バッテリセービング機能に係るＡＰＬ処理２１は、移動端末１のユーザインタフェース２２Ａの操作に応じて、ＵＩ制御処理２２に対して、バッテリセービングモードの設定変更を要求する（Ｓ１１１）。ＵＩ制御処理２２は、ユーザインタフェースの操作内容に基づいて、セル選択制御処理３１に対して、バッテリセービングモードの設定変更を要求する（Ｓ１１２）。
【００６８】
セル選択制御処理３１は、ＵＩ制御処理２２から受信したユーザインタフェースの操作
内容により特定される変更内容とセービングモードデータの内容とを比較し、差分があるか否かを判定する（Ｓ１１３）。差分がない場合、処理は終了する。他方、差分がある場合、セル選択制御処理３１は、変更内容に応じて、記憶装置１１に記憶されているセービングモードデータの内容を更新する（Ｓ１１４）。
【００６９】
そして、セル選択制御処理３１は、ＵＩ制御処理２２に対して、要求された更新が完了したことを示す応答を返す（Ｓ１１５）。当該応答を受信すると、ＵＩ制御処理２２は、ＡＰＬ処理２１に同様の応答を返す（Ｓ１１６）。これにより、セービングモードデータの更新が完了する。
【００７０】
図６ＢのＳ１１１において、バッテリセービング機能がＯＦＦであれば、バッテリセービング機能“ＯＦＦ”で、且つ初期設定のセービングモードを指定するバッテリセービング要求が送信（発行）される。これに対し、バッテリセービング機能がＯＮであれば、バッテリセービング機能“ＯＮ”で、且つ変更後のセービングモードを指定するバッテリセービング要求が送信（発行）される。
【００７１】
そして、Ｓ１１３では、バッテリセービング要求に含まれるセービングモードと、セル選択制御処理３１で保持されているセービングモードとが対比され、両者が異なる場合に、バッテリセービング要求に含まれるセービングモードに変更するためのセービングモードデータ更新処理が行われる。
【００７２】
図６Ｃは、移動端末１が待ち受け中の状態でサービングセル及び隣接セルに関する測定を行っている際に、移動端末１のバッテリ残量が変動した場合の処理を例示するシーケンス図である。図６Ｃは、バッテリ残量が低下した場合を例示する。もっとも、バッテリ残量が増加した場合にも、図６Ｃと同様の処理が行われる（後述する図７Ｃの処理でも同様である）。
【００７３】
図６Ｃに示すように、移動端末１の通信用ＣＰＵ１３は、待ち受け中に、バッテリ１４の残量レベルが変動したときに、現在使用中の機能に応じてパラメータ設定に用いるセル選択データパターンを選択する処理を実行する。
【００７４】
すなわち、バッテリ１４の残量が低下すると（Ｓ１２１）、バッテリ監視処理２３は、測定制御処理３３に、現在のバッテリ１４の残量レベルを通知する（Ｓ１２２）。具体的には、バッテリ監視処理２３は、現在のバッテリ残量が属するバッテリ残量レベルを特定し、当該特定したバッテリ残量レベルを測定制御処理３３に通知する。
【００７５】
当該通知に応じて、測定制御処理３３は、セービングモードデータを読み出し（Ｓ１２３）、バッテリセービング機能が「ＯＮ」であるか否かを判定する（Ｓ１２４）。バッテリセービング機能が「ＯＮ」ではない場合、処理は終了する。
【００７６】
他方、バッテリセービング機能が「ＯＮ」である場合、測定制御処理３３は、ＡＰＬ処理２１に動作中の機能（サービス含む）を問い合わせる（Ｓ１２５）。これに対して、ＡＰＬ処理２１は、測定制御処理３３に、動作中の機能を返答する（Ｓ１２６）。
【００７７】
測定制御処理３３は、移動端末１が在圏中のセルに係るＲＡＴの種類及びセービングモードデータで指定されるセービングモードに対応するセル選択データテーブルＴを記憶装置１１から読み出す（Ｓ１２７）。そして、測定制御処理３３は、読み出したセル選択データテーブルＴにおける、Ｓ１２２において通知を受けたバッテリ残量レベル及びＳ１２６において通知を受けた動作中の機能に該当するレコードを参照する。
【００７８】
測定制御処理３３は、参照したレコードからセルの選択に関するパラメータの値を取得し、利用中のパラメータの値と取得した値とに差分があるか否かを判定する（Ｓ１２８）。差分が無い場合は、処理は終了する。他方、差分がある場合は、測定制御処理３３は、セルの選択に関して利用するパラメータの値を、セル選択データテーブルＴの参照したレコード（セル選択データパターン）から取得した値に変更（更新）する（Ｓ１２９）。
【００７９】
なお、Ｓ１２９では、セル再選択のパラメータのうちセル再選択プライオリティの値が更新される。ただし、当該値が更新されたとしても、バッテリセービング機能が「ＯＦＦ」となった場合に備えて、記憶装置１１は、報知情報から取得したセル再選択のパラメータの値を保持し続ける。これにより、セル再選択のパラメータの更新が完了する。なお、Ｓ１２２の通知は、バッテリ残量の低下によってバッテリ残量レベルが変化（低下）した場合にのみ実行されるようにしても良い。また、測定制御処理３３は、Ｓ１２２によって通知された最後のバッテリ残量レベルを保持し、新たな通知で受け取ったバッテリ残量レベルと、保持したバッテリ残量レベルとが異なる場合にのみ、Ｓ１２３以降の処理を行うようにしても良い。これらの変形は、後述する図７Ｃに図示する処理にも適用可能である。
【００８０】
図６Ｄは、移動端末１が待ち受け中の状態でサービングセル及び隣接セルに関する測定を行っている際に、移動端末１において実行されている機能に変更があった場合の動作を例示するシーケンス図である。
【００８１】
図６Ｄに示すように、移動端末１の通信用ＣＰＵ１３は、待ち受け中に、移動端末１で使用される機能が変更されたときに、変更後の機能に応じてパラメータ設定に用いるセル選択データパターンを選択する処理を行う。
【００８２】
すなわち、ユーザが移動端末１のＵＩ２２Ａを操作することで動作する機能が変わると、ＡＰＬ処理２１は、当該機能の変更を測定制御処理３３に通知する（Ｓ１３１）。ＡＰＬ処理２１は、当該通知において、変更後の機能を通知する。
【００８３】
当該通知に応じて、測定制御処理３３は、セービングモードデータを読み出し（Ｓ１３２）、バッテリセービング機能が「ＯＮ」のセービングモードがあるか否かを判定する（Ｓ１３３）。バッテリセービング機能が「ＯＮ」でない場合（「ＯＮ」のセービングモードがない場合）、処理は終了する。
【００８４】
他方、バッテリセービング機能が「ＯＮ」である場合、測定制御処理３３は、移動端末１が在圏中のセルに係るＲＡＴの種類及びセービングモードデータで指定されるセービングモード，及び変更後の機能に対応するセル選択データテーブルＴを記憶装置１１から読み出す（Ｓ１３４）。
【００８５】
そして、測定制御処理３３は、読み出したセル選択データテーブルＴにおける、既にバッテリ監視処理２３より通知されているバッテリ残量レベル及びＳ１３１において通知を受けた動作中の機能に該当するレコード（セル選択データパターン）を参照する。なお、測定制御処理３３は、バッテリ監視処理２３よりバッテリ残量レベルが通知されていない場合、バッテリ監視処理２３にバッテリ１４の残量レベルを問い合わせることで、バッテリ残量レベルを把握する。
【００８６】
測定制御処理３３は、参照したレコードからセルの選択に関するパラメータの値を取得し、利用中のパラメータの値と取得した値とに差分があるか否かを判定する（Ｓ１３５）。差分が無い場合は、処理は終了する。他方、差分がある場合は、測定制御処理３３は、セルの選択に関して利用するパラメータの値を、セル選択データテーブルＴの参照したレ
コード（セル選択データパターン）から取得した値に変更（更新）する（Ｓ１３６）。
【００８７】
Ｓ１３６では、Ｓ１２９と同様に、セル再選択のパラメータのうちセル再選択プライオリティの値が更新される。ただし、当該値が更新されたとしても、バッテリセービング機能が「ＯＦＦ」となった場合に備えて、記憶装置１１は、報知情報から取得したセル再選択のパラメータの値を保持し続ける。これにより、セル再選択のパラメータの更新が完了する。
【００８８】
図６Ｄの処理は、待ち受け状態の移動端末１での機能変更として、図５で例示したワンセグ機能，音声／ビデオ再生機能，カメラ機能の切り替えが実施される場合の処理を例示している。これに対し、使用中の機能が停止された場合には、Ｓ１３１にて、機能停止が通知される。Ｓ１３２で読み出されたセービングモードデータの全てをＯＦＦにして、バッテリセービング機能をＯＦＦにし（解除し）、処理を終了することができる。
【００８９】
或いは、待ち受け中に利用可能とされる複数の機能の全てが停止状態（全停止状態）となった場合に適用されるセル選択データパターンが予めセル選択データテーブルＴ（図５）に格納され、機能の停止によって全停止状態となった場合に、対応するセル選択データパターンに基づくパラメータ更新が実行されるようにしても良い。
【００９０】
或いは、機能の停止によって全停止状態となった場合には、停止前の状態が維持され、その後の何れかの機能の起動時に、Ｓ１３１の処理が実行されるようにしても良い。これらの変形は、後述する図７Ｄの処理においても同様に適用可能である。
【００９１】
図６Ｅは、移動端末１が待ち受け中の状態でサービングセル及び隣接セルに関する測定を行っている際に、移動端末１において実行されるセル再選択に係る動作を例示する。
【００９２】
測定制御処理３３は、無線通信ＩＦ制御処理３４を介して、サービングセル及び隣接セルの電波強度及び品質に関する情報を取得する（Ｓ１４１）。そして、測定制御処理３３は、セル再選択のパラメータ及び取得した情報を用いて、セル再選択の基準が満たされるか否かを判定する（Ｓ１４２、１４３）。セル再選択の基準が満たされない場合、処理は終了する。他方、セル再選択の基準が満たされる場合、セル再選択が実行される。
【００９３】
本実施形態では、当該Ｓ１４２が実行される前に、図６Ｃで例示したバッテリ残量の低下が生じた場合、又は、図６Ｄで例示した動作中の機能に変更があった場合、セル再選択の判定に、セル選択データパターンにおいて設定された値が反映される。これにより、本実施形態では、省電力効果が得られる。
【００９４】
次に、図７Ａ〜Ｅは、ハンドオーバに係る移動端末１のアプリ用ＣＰＵ１２及び通信用ＣＰＵ１３の処理を例示する。待ち受け中のセル再選択が通信中のハンドオーバに変わる点を除いて、図７Ａ〜Ｅに例示される動作は、図６Ａ〜Ｅに例示される動作及び処理とほぼ同様である。
【００９５】
図７Ａは、移動端末１が通信中の状態でサービングセル及び隣接セルに関する測定を行っている際に、基地局２から接続再設定に関するメッセージが通知された場合の動作を例示する。
【００９６】
セル選択制御処理３１は、無線通知ＩＦ制御処理３４を介して、基地局２から接続再設定に関するメッセージを取得する（Ｓ２０１）。当該メッセージには、測定報告（Measurement Report）に関するパラメータの値が含まれている。
【００９７】
セル選択制御処理３１は、記憶装置１１に既に記憶されている、基地局２から取得した測定報告（Measurement Report）に関するパラメータの値をＳ２０１で取得した値に更新する（Ｓ２０２）。そして、セル選択制御処理３１は、無線通知ＩＦ制御処理３４を介して、接続再設定に関する処理が終了したことを示す応答を基地局２に返す（Ｓ２０３）。
【００９８】
図７Ｂは、移動端末１が通信中の状態でサービングセル及び隣接セルに関する測定を行っている際に、移動端末１のユーザインタフェースを通じて、ユーザが、バッテリセービング機能に関する設定を変更した場合の動作を例示するシーケンス図である。
【００９９】
ＡＰＬ処理２１は、移動端末１のユーザインタフェースの操作に応じて、ＵＩ制御処理２２に対して、バッテリセービングモードの設定変更を要求する（Ｓ２１１）。ＵＩ制御処理２２は、ユーザインタフェースの操作内容に基づいて、セル選択制御処理３１に対して、バッテリセービングモードの設定変更を要求する（Ｓ２１２）。
【０１００】
セル選択制御処理３１は、ＵＩ制御処理２２から受信したユーザインタフェースの操作内容により特定される変更内容とセービングモードデータの内容とを比較し、差分があるか否かを判定する（Ｓ２１３）。差分がない場合、処理は終了する。他方、差分がある場合、セル選択制御処理３１は、変更内容に応じて、記憶装置１１に記憶されているセービングモードデータの内容を更新する（Ｓ２１４）。
【０１０１】
そして、セル選択制御処理３１は、ＵＩ制御処理２２に対して、要求された更新が完了したことを示す応答を返す（Ｓ２１５）。当該応答を受信すると、ＵＩ制御処理２２は、ＡＰＬ処理２１に同様の応答を返す（Ｓ２１６）。これにより、セービングモードデータの更新が完了する。
【０１０２】
図７Ｃは、移動端末１が通信中の状態でサービングセル及び隣接セルに関する測定を行っている際に、移動端末１のバッテリ残量が低下した場合の動作を例示するシーケンス図である。
【０１０３】
図７Ｃにおいて、移動端末１の通信用ＣＰＵ１３は、通信中にバッテリ１４の残量レベルが変動したときに、現在使用中の機能に応じてパラメータ設定に用いるセル選択データパターンを選択する処理を行う。すなわち、バッテリ１４の残量が低下すると（Ｓ２２１）、バッテリ監視処理２３は、測定制御処理３３に、バッテリ１４の残量レベルを通知する（Ｓ２２２）。具体的には、バッテリ監視処理２３は、現在のバッテリ残量が属するバッテリ残量レベルを測定制御処理３３に通知する。
【０１０４】
当該通知に応じて、測定制御処理３３は、セービングモードデータを読み出し（Ｓ２２３）、バッテリセービング機能が「ＯＮ」であるか否かを判定する（Ｓ２２４）。バッテリセービング機能が「ＯＮ」ではない場合、処理は終了する。
【０１０５】
他方、バッテリセービング機能が「ＯＮ」である場合、測定制御処理３３は、ＡＰＬ処理２１に動作中の機能を問い合わせる（Ｓ２２５）。これに対して、ＡＰＬ処理２１は、測定制御処理３３に、動作中の機能を返答する（Ｓ２２６）。
【０１０６】
測定制御処理３３は、移動端末１が在圏中のセルに係るＲＡＴの種類及びセービングモードデータで指定されるセービングモードに対応するセル選択データテーブルＴを記憶装置１１から読み出す（Ｓ２２７）。そして、測定制御処理３３は、読み出したセル選択データテーブルＴにおける、Ｓ２２２において通知を受けたバッテリ残量レベル及びＳ２２６において通知を受けた動作中の機能に該当するレコード（セル選択データパターン）を参照する。
【０１０７】
測定制御処理３３は、参照したレコードからセルの選択に関するパラメータの値を取得し、利用中のパラメータの値と取得した値とに差分があるか否かを判定する（Ｓ２２８）。差分が無い場合は、処理は終了する。他方、差分がある場合は、測定制御処理３３は、セルの選択に関して利用するパラメータの値を、セル選択データテーブルＴの参照したレコード（セル選択データパターン）から取得した値に変更（更新）する（Ｓ２２９）。
【０１０８】
なお、Ｓ２２９では、測定報告（Measurement Report）に関するパラメータのうち、測定報告（Measurement Report）のトリガとなるEvent閾値の値が更新される。ただし、当
該値が更新されたとしても、バッテリセービング機能が「ＯＦＦ」となった場合に備えて、記憶装置１１は、基地局２から取得した測定報告（Measurement Report）に関するパラメータの値を保持し続ける。これにより更新に係る処理は終了する。
【０１０９】
図７Ｄは、移動端末１が通信中の状態でサービングセル及び隣接セルに関する測定を行っている際に、移動端末１において実行されている機能に変更があった場合の動作を例示するシーケンス図である。
【０１１０】
図７Ｄに示すように、移動端末１の通信中に、移動端末１で使用される機能が変更されたときに、変更後の機能に応じてパラメータ設定に用いるセル選択データパターンを選択する処理が行われる。すなわち、ユーザが移動端末１を操作することで動作する機能が変わると、ＡＰＬ処理２１は、当該機能の変更を測定制御処理３３に通知する（Ｓ２３１）。ＡＰＬ処理２１は、当該通知において、変更後の機能を通知する。
【０１１１】
当該通知に応じて、測定制御処理３３は、セービングモードデータを読み出し（Ｓ２３２）、バッテリセービング機能が「ＯＮ」であるか否かを判定する（Ｓ２３３）。バッテリセービング機能が「ＯＮ」でない場合、処理は終了する。
【０１１２】
他方、バッテリセービング機能が「ＯＮ」である場合、測定制御処理３３は、移動端末１が在圏中のセルに係るＲＡＴの種類及びセービングモードデータで指定されるセービングモードに対応するセル選択データテーブルＴを記憶装置１１から読み出す（Ｓ２３４）。
【０１１３】
そして、測定制御処理３３は、読み出したセル選択データテーブルＴにおける、既にバッテリ監視処理２３より通知されているバッテリ残量レベル及びＳ２３１において通知を受けた動作中の機能に該当するレコードを参照する。なお、測定制御処理３３は、バッテリ監視処理２３よりバッテリ残量レベルが通知されていない場合、バッテリ監視処理２３にバッテリ１４の残量レベルを問い合わせることで、バッテリ残量レベルを把握する。
【０１１４】
測定制御処理３３は、参照したレコードからセルの選択に関するパラメータの値を取得し、利用中のパラメータの値と取得した値とに差分があるか否かを判定する（Ｓ２３５）。差分が無い場合は、処理は終了する。他方、差分がある場合は、測定制御処理３３は、セルの選択に関して利用するパラメータの値を、セル選択データテーブルＴの参照したレコード（セル選択データパターン）から取得した値に変更（更新）する（Ｓ２３６）。
【０１１５】
Ｓ２３６では、Ｓ２２９と同様に、測定報告（Measurement Report）に関するパラメータのうち、測定報告（Measurement Report）のトリガとなるEvent閾値の値が更新される
。ただし、当該値が更新されたとしても、バッテリセービング機能が「ＯＦＦ」となった場合に備えて、記憶装置１１は、基地局２から取得した測定報告（Measurement Report）に関するパラメータの値を保持し続ける。
【０１１６】
図７Ｅは、移動端末１が通信中の状態でサービングセル及び隣接セルに関する測定を行っている際に、移動端末１において実行されるハンドオーバに係る動作を例示するシーケンス図である。
【０１１７】
測定制御処理３３は、無線通信ＩＦ制御処理３４を介して、サービングセル及び隣接セルの電波強度及び品質に関する情報を取得する（Ｓ２４１）。そして、測定制御処理３３は、測定報告（Measurement Report）に関するパラメータ及び取得した情報を用いて、測定報告（Measurement Report）を行う基準が満たされるか否かを判定する（Ｓ２４２、Ｓ２４３）。
【０１１８】
なお、当該Ｓ２４２が実行される前に、図７Ｃで例示したバッテリ残量の低下が生じた場合、又は、図７Ｄで例示した動作中の機能に変更があった場合、測定報告（Measurement Report）の判定に、セル選択データパターンにおいて設定された値が反映される。これにより、本実施形態では、省電力効果が得られる。
【０１１９】
測定報告（Measurement Report）の基準が満たされない場合、処理は終了する。他方、測定報告（Measurement Report）の基準が満たされる場合、測定制御処理３３は、無線通信ＩＦ制御処理３４を制御して、基地局２に測定報告（Measurement Report）を行う（Ｓ２４４）。
【０１２０】
測定報告（Measurement Report）を受信すると、基地局２は、移動端末１に対して、ハンドオーバのコマンドを返信する（Ｓ２４５）。セル選択制御処理３２は、無線通信ＩＦ制御処理３４を介して当該コマンドを受信すると、ハンドオーバの処理を実行する。
【０１２１】
［動作例］
＜バッテリ残量変更時＞
図８は、移動端末１においてバッテリ残量が低下した際におけるセルの選択に関するパラメータの更新に係るアプリ用ＣＰＵ１２及び通信用ＣＰＵ１３の処理例を示す。バッテリ監視処理２３は、バッテリ１４の残量を監視している。バッテリ１４の残量のレベルが低下すると、バッテリ監視処理２３が測定制御処理３３に、バッテリ１４の残量レベルを通知する。これにより、本動作が開始する。
【０１２２】
Ｓ３０１では、測定制御処理３３により、セービングモードデータが記憶装置１１から読み出される。そして、Ｓ３０２では、測定制御処理３３は、読み出したセービングモードデータを参照し、バッテリセービング機能が「ＯＮ」であるか否かを判定する。
【０１２３】
バッテリセービング機能が「ＯＮ」ではない場合、処理は終了する。他方、バッテリセービング機能が「ＯＮ」である場合、処理は、Ｓ３０３に進む。
【０１２４】
Ｓ３０３では、測定制御処理３３は、ＡＰＬ処理２１に動作中の機能を問い合わせる。これにより、測定制御処理３３は、移動端末１において動作中の機能を把握する。
【０１２５】
Ｓ３０４では、測定制御処理３３は、移動端末１が在圏中のセルに係るＲＡＴの種類及びセービングモードデータで指定されるセービングモードに対応するセル選択データテーブルＴを記憶装置１１から読み出す。そして、測定制御処理３３は、読み出したセル選択データテーブルＴにおける、バッテリ監視処理２３から通知を受けたバッテリ残量レベル及びＳ３０３において把握した動作中の機能に該当するレコードを参照する。
【０１２６】
Ｓ３０５では、参照したレコードからセルの選択に関するパラメータの値を取得し、利用中のパラメータの値と取得した値とに差分があるか否かを判定する。差分が無い場合は
、処理は終了する。他方、差分がある場合は、測定制御処理３３は、セルの選択に関して利用するパラメータの値を、セル選択データテーブルＴの参照したレコード（セル選択データパターン）から取得した値に変更（更新）する（Ｓ３０６）。
【０１２７】
なお、Ｓ３０６では、移動端末１が待ち受け中の状態にある場合、セル再選択のパラメータのうちセル再選択プライオリティの値が更新される。他方、移動端末１が通信中の状態にある場合、Ｓ３０６では、測定報告（Measurement Report）に関するパラメータのうち、測定報告（Measurement Report）のトリガとなるEvent閾値の値が更新される。これ
により更新に係る処理は終了する。
【０１２８】
＜動作機能変更時＞
図９は、移動端末１において利用される機能の変更があった際におけるセルの選択に関するパラメータの更新に係るアプリ用ＣＰＵ１２及び通信用ＣＰＵ１３の処理例を示す。ユーザが移動端末１を操作することで動作する機能が変わると、ＡＰＬ処理２１は、当該機能の変更を測定制御処理３３に通知する。これにより、本動作は開始する。
【０１２９】
Ｓ４０１では、測定制御処理３３により、セービングモードデータが記憶装置１１から読み出される。そして、Ｓ４０２では、測定制御処理３３は、読み出したセービングモードデータを参照し、バッテリセービング機能が「ＯＮ」であるか否かを判定する。
【０１３０】
バッテリセービング機能が「ＯＮ」ではない場合、処理は終了する。他方、バッテリセービング機能が「ＯＮ」である場合、処理は、Ｓ４０３に進む。
【０１３１】
Ｓ４０３では、測定制御処理３３は、移動端末１が在圏中のセルに係るＲＡＴの種類及びセービングモードデータで指定されるセービングモードに対応するセル選択データテーブルＴを記憶装置１１から読み出す。そして、測定制御処理３３は、読み出したセル選択データテーブルＴにおける、既にバッテリ監視処理２３により通知されているバッテリ残量レベル及びＡＰＬ処理２１から通知された動作中の機能に該当するレコードを参照する。
【０１３２】
なお、測定制御処理３３は、バッテリ監視処理２３よりバッテリ残量レベルが通知されていない場合、バッテリ監視処理２３にバッテリ１４の残量レベルを問い合わせることで、バッテリ残量レベルを把握する。
【０１３３】
そして、Ｓ４０４では、参照したレコードからセルの選択に関するパラメータの値を取得し、利用中のパラメータの値と取得した値とに差分があるか否かを判定する。差分が無い場合は、処理は終了する。他方、差分がある場合は、測定制御処理３３は、セルの選択に関して利用するパラメータの値を、セル選択データテーブルＴの参照したレコード（セル選択データパターン）から取得した値に変更（更新）する（Ｓ４０５）。
【０１３４】
なお、Ｓ４０５では、Ｓ３０６と同様、移動端末１が待ち受け中の状態にある場合、セル再選択のパラメータのうちセル再選択プライオリティの値が更新される。他方、移動端末１が通信中の状態にある場合、Ｓ４０５では、測定報告（Measurement Report）に関するパラメータのうち、測定報告（Measurement Report）のトリガとなるEvent閾値の値が
更新される。これにより更新に係る処理は終了する。
【０１３５】
＜セル再選択＞
図１０は、移動端末１における待ち受けセルの再選択に係るアプリ用ＣＰＵ１２及び通信用ＣＰＵ１３の処理例を示す。
【０１３６】
Ｓ５０１では、測定制御処理３３は、無線通信ＩＦ制御処理３４を介して、サービングセル及び隣接セルの電波強度及び品質に関する情報を取得する。そして、Ｓ５０２及び５０３では、測定制御処理３３は、セル再選択のパラメータ及び取得した情報を用いて、セル再選択の基準が満たされるか否かを判定する。
【０１３７】
セル再選択の基準が満たされない場合、処理はＳ５０１に戻る。他方、セル再選択の基準が満たされる場合、処理はＳ５０４に進む。なお、当該Ｓ５０２が実行される前に、図８又は図９で例示したセル再選択のパラメータの更新が行われた場合、セル再選択の判定に、セル選択データパターンにおいて設定された値が反映される。これにより、本実施形態では、省電力効果が得られる。
【０１３８】
Ｓ５０４では、セル選択制御処理３１により、隣接セルへのセル再選択が試行される。そして、セル再選択の試行が成功した場合（Ｓ５０５の「ＹＥＳ」）、移動端末１は、当該隣接セルで待ち受け中の状態になる（Ｓ５０６）。他方、セル再選択の試行が失敗した場合（Ｓ５０５の「ＮＯ」）、移動端末１は、元のセルで待ち受け中の状態になる（Ｓ５０７）。これにより、セル再選択の処理は終了する。
【０１３９】
＜ハンドオーバ＞
図１１は、移動端末１におけるハンドオーバに係るアプリ用ＣＰＵ１２及び通信用ＣＰＵ１３の処理例を示す。
【０１４０】
Ｓ６０１では、測定制御処理３３は、無線通信ＩＦ制御処理３４を介して、サービングセル及び隣接セルの電波強度及び品質に関する情報を取得する。そして、Ｓ６０２及び６０３では、測定制御処理３３は、測定報告（Measurement Report）に関するパラメータ及び取得した情報を用いて、測定報告（Measurement Report）を行う基準が満たされるか否かを判定する。
【０１４１】
なお、当該Ｓ６０２が実行される前に、図８又は図９で例示した測定報告（Measurement Report）に関するパラメータの更新が行われた場合、測定報告（Measurement Report）の判定に、セル選択データパターンにおいて設定された値が反映される。これにより、本実施形態では、省電力効果が得られる。
【０１４２】
測定報告（Measurement Report）の基準が満たされない場合、処理はＳ６０１に戻る。他方、測定報告（Measurement Report）の基準が満たされる場合、処理はＳ６０４に進む。
【０１４３】
Ｓ６０４では、測定制御処理３３は、無線通信ＩＦ制御処理３４を制御して、基地局に測定報告（Measurement Report）を行う。これに応じて、基地局は、移動端末１に対して、ハンドオーバのコマンドを返信する。Ｓ６０５では、セル選択制御処理３２は、無線通信ＩＦ制御処理３４を介して当該コマンドを受信する。
【０１４４】
Ｓ６０６では、セル選択制御処理３１により、隣接セルへのハンドオーバが試行される。ハンドオーバの試行が成功した場合（Ｓ６０７の「ＹＥＳ」）、移動端末１のサービングセルは当該隣接セルに遷移する（Ｓ６０８）。他方、ハンドオーバの試行が失敗した場合（Ｓ６０７の「ＮＯ」）、移動端末１は元のセルに再接続を行う（Ｓ６０９）。これにより、ハンドオーバの処理は終了する。
【０１４５】
＜その他＞
なお、移動端末１が圏外に位置する場合のセルサーチにおいてもセル選択データパターンは利用される。例えば、測定制御処理３３は、セルサーチを実行する前にセービングモ
ードデータを記憶装置１１から読み出す。そして、測定制御処理３３は、読み出したセービングモードデータを参照し、バッテリセービング機能が「ＯＮ」であるか否かを判定する。
【０１４６】
バッテリセービング機能が「ＯＮ」ではない場合、測定制御処理３３は、従来の方法でセルサーチを実行する。他方、バッテリセービング機能が「ＯＮ」である場合、測定制御処理３３は、移動端末１が在圏中のセルに係るＲＡＴの種類及びセービングモードデータで指定されるセービングモードに対応するセル選択データテーブルＴを記憶装置１１から読み出す。
【０１４７】
また、測定制御処理３３は、バッテリ監視処理２３にバッテリ１４の残量レベルを問い合わせて、バッテリ残量レベルを把握する。その後、測定制御処理３３は、読み出したセル選択データテーブルＴにおける、バッテリ監視処理２３より通知されたバッテリ残量レベルに該当するレコード（セル選択データパターン）を参照する。
【０１４８】
そして、測定制御処理３３は、参照したレコードにおける優先ＲＡＴの設定に従って、セルサーチを実行する。具体的には、測定制御処理３３は、参照したレコードにおいて設定された優先ＲＡＴ配下のセルをサーチする。本実施形態の移動端末１では、このようにセルサーチが実行される。
【０１４９】
なお、本実施形態に係る移動端末１の別の形態として、以上の各構成を実現する情報処理方法であってもよいし、プログラムであってもよいし、このようなプログラムを記録したコンピュータその他装置、機械等が読み取り可能な記憶媒体であってもよい。ここで、コンピュータ等が読み取り可能な記録媒体とは、プログラム等の情報を、電気的、磁気的、光学的、機械的、又は、化学的作用によって蓄積する媒体である。
【０１５０】
＜付記＞
上記実施形態は、以下の付記を開示する。付記に記載された事項は、適宜組み合わせることができる。
（付記１）
移動端末であって、
前記移動端末が利用しうる無線アクセス技術の選択に用いられるセル選択データパターンを、前記移動端末がとりうる動作状態に関連付けて記憶する記憶装置と、
前記移動端末の動作状態に基づいて前記記憶装置から選択されるセル選択データパターンを用いて前記移動端末が利用しうる無線アクセス技術の１つを選択し、当該選択された無線アクセス技術を用いてセルとの接続処理を行う制御装置と
を含む移動端末。（１）
（付記２）
前記セル選択データパターンは、前記移動端末が利用しうる無線アクセス技術毎に、当該無線アクセス技術を選択する順序の制御に用いられる優先度が設定されており、
前記制御装置は、前記移動端末の動作状態に基づいて前記記憶装置から選択されるセル選択データパターンが有する前記無線アクセス技術毎の優先度を用いて、前記移動端末が利用しうる無線アクセス技術を選択する順序を制御する、
付記１に記載の移動端末。（２）
（付記３）
前記記憶装置は、前記移動端末がとりうる動作状態が消費電力を抑制する必要性の大きい動作状態である程、当該動作状態に関連付けられた前記セル選択データパターンが有する前記無線アクセス技術のうち消費電力が少ない無線アクセス技術の優先度が高くなるように設定されている、
ことを特徴とする付記１又は２の移動端末。（３）
（付記４）
前記記憶装置は、前記移動端末がとりうる動作状態が消費電力を抑制する必要性の小さい動作状態である程、当該動作状態に関連付けられた前記セル選択データパターンが有する前記無線アクセス技術のうち伝送速度が高い無線アクセス技術の優先度が高くなるように設定される、
ことを特徴とする付記１から３のいずれか１項の移動端末。（４）
（付記５）
前記移動端末がとりうる動作状態とは、前記移動端末が備えるバッテリの残量、及び／又は、前記移動端末が利用可能なアプリケーション機能であり、
前記記憶装置における、前記移動端末がとりうる動作状態と前記セル選択データパターンとの関連付けは、前記移動端末が備えるバッテリの残量が少ない程、前記移動端末がとりうる動作状態が消費電力を抑制する必要性の大きさが増す関係にあり、及び／又は、前記移動端末が利用可能なアプリケーション機能の消費電力が多い程、前記移動端末がとりうる動作状態が消費電力を抑制する必要性の大きさが増す関係にある、
ことを特徴とする付記３又は４の移動端末。（５）
（付記６）
前記制御装置は、前記移動端末の待ち受け中に、前記バッテリの残量レベルが変動したときに、現在使用中の機能に応じて前記無線アクセス技術の選択に用いられるセル選択データパターンを選択する、
付記５に記載の移動端末。（６）
（付記７）
前記制御装置は、前記移動端末の待ち受け中に、前記移動端末で使用される機能が変更されたときに、変更後の機能に応じて前記無線アクセス技術の選択に用いられるセル選択データパターンを選択する、
付記５に記載の移動端末。（７）
（付記８）
前記制御装置は、前記移動端末の通信中に前記バッテリの残量レベルが変動したときに、現在使用中の機能に応じて前記無線アクセス技術の選択に用いられるセル選択データパターンを選択する、
付記５に記載の移動端末。（８）
（付記９）
前記制御装置は、前記移動端末の通信中に、前記移動端末で使用される機能が変更されたときに、変更後の機能に応じて前記無線アクセス技術の選択に用いられるセル選択データパターンを選択する、
付記５に記載の移動端末。（９）
（付記１０）
前記制御装置は、前記移動端末が前記複数のセルのいずれにも在圏していないときに、前記記憶装置に記憶された優先無線アクセス技術情報によって指定された前記複数の無線アクセス技術の１つに対するセルサーチ処理を実行する一方で、残りの無線アクセス技術に対するセルサーチ処理を規制する、
付記１から９のいずれか１項に記載の移動端末。
（付記１１）
前記制御装置は、前記パラメータ設定において、セル再選択処理用のパラメータを選択されたセル選択データパターンに基づき書き換える、
付記６又は７に記載の移動端末。
（付記１２）
前記制御装置は、前記パラメータ設定において、ハンドオーバ用のパラメータを選択されたセル選択データパターンに基づき書き換える
付記８又は９に記載の移動端末。
（付記１３）
前記セル選択データパターンを用いた前記パラメータ設定が実行されるバッテリセービング機能のオン及びオフを設定するためのユーザインタフェースをさらに含む付記１から１２の何れか１項に記載の移動端末。
（付記１４）
移動端末が、
前記移動端末がとりうる動作状態と関連付けて記憶された前記移動端末が利用しうる無線アクセス技術の選択に用いられるセル選択データパターンから一のセル選択データパターンを、前記移動端末の動作状態に基づいて選択し、
前記選択されたセル選択データパターンを用いて前記移動端末が利用しうる無線アクセス技術の１つを選択し、
前記選択された無線アクセス技術を用いてセルとの接続処理を行う
ことを含む移動端末のセル選択方法。（１０）
（付記１５）
バッテリと、
前記バッテリの残量と利用可能な機能との複数の組み合わせに対応する、相互に異なる複数の無線アクセス技術によって形成される複数のセルの１つを選択するための複数のセル選択データパターンを記憶する記憶装置と、
前記複数のセル選択データパターンから選択されるセル選択データパターンを用いて、前記複数のセルの１つに対する接続処理が実行されるためのパラメータ設定を行う制御装置と
を含む移動端末。
（付記１６）
前記記憶装置は、現在のバッテリ残量と利用中の機能の消費電力とに応じて、サービングセルより消費電力が小さいターゲットセルへの接続処理が実行されるための前記複数のセル選択データパターンを記憶する
付記１５に記載の移動端末。
（付記１７）
前記記憶装置は、複数の消費電力レベルに応じて用意された複数のモードに対応する前記複数のセル選択データパターンを記憶し、
前記制御装置は、前記複数のモードから指定されたモードに対応する前記複数のセル選択データパターンから選択されるセル選択データパターンを用いて、前記パラメータ設定を行う付記１５又は１６に記載の移動端末。
（付記１８）
前記制御装置は、前記移動端末の待ち受け中に、前記バッテリの残量レベルが変動したときに、現在使用中の機能に応じて前記パラメータ設定に用いるセル選択データパターンを選択する付記１５又は１６に記載の移動端末。
（付記１９）
前記制御装置は、前記移動端末の待ち受け中に、前記移動端末で使用される機能が変更されたときに、変更後の機能に応じて前記パラメータ設定に用いるセル選択データパターンを選択する付記１５から１７の何れか１項に記載の移動端末。
（付記２０）
前記制御装置は、前記移動端末の通信中に前記バッテリの残量レベルが変動したときに、現在使用中の機能に応じて前記パラメータ設定に用いるセル選択データパターンを選択する付記１５から１７の何れか１項に記載の移動端末。
（付記２１）
前記制御装置は、前記移動端末の通信中に、前記移動端末で使用される機能が変更されたときに、変更後の機能に応じて前記パラメータ設定に用いるセル選択データパターンを選択する付記１５から１７の何れか１項に記載の移動端末。
（付記２２）
前記制御装置は、前記移動端末が前記複数のセルのいずれにも在圏していないときに、
前記記憶装置に記憶された優先無線アクセス技術情報によって指定された前記複数の無線アクセス技術の１つに対するセルサーチ処理を実行する一方で、残りの無線アクセス技術に対するセルサーチ処理を規制する
付記１５から２１の何れか１項に記載の移動端末。
（付記２３）
前記制御装置は、前記パラメータ設定において、セル再選択処理用のパラメータを選択されたセル選択データパターンに基づき書き換える
付記１８又は１９に記載の移動端末。
（付記２４）
前記制御装置は、前記パラメータ設定において、ハンドオーバ用のパラメータを選択されたセル選択データパターンに基づき書き換える
付記２０又は２１に記載の移動端末。
（付記２５）
前記セル選択データパターンを用いた前記パラメータ設定が実行されるバッテリセービング機能のオン及びオフを設定するためのユーザインタフェースをさらに含む付記１５から２４の何れか１項に記載の移動端末。
（付記２６）
バッテリを有する移動端末が、
前記バッテリの残量と利用可能な機能との複数の組み合わせに対応する、相互に異なる複数の無線アクセス技術によって形成される複数のセルの１つを選択するための複数のセル選択データパターンから選択されるセル選択データパターンを用いて、前記複数のセルの１つに対する接続処理が実行されるためのパラメータ設定を行う
ことを含む移動端末のセル選択方法。
【符号の説明】
【０１５１】
１…移動端末、２…基地局、
１１…記憶装置、１２…アプリ用ＣＰＵ、１３…通信用ＣＰＵ、１４…バッテリ
１５…ＢＢ回路、１６…ＲＦ回路、
２１…ＡＰＬ処理、２２…ＵＩ制御処理、２３…バッテリ監視処理、
３１…セル選択制御処理、３２…報知情報制御処理、３３…測定制御処理、
３４…無線通信ＩＦ制御処理
【図１】
2014045445.tif 000003
【図２】
2014045445.tif 000004
【図３】
2014045445.tif 000005
【図４】
2014045445.tif 000006
【図５】
2014045445.tif 000007
【図６Ａ】
2014045445.tif 000008
【図６Ｂ】
2014045445.tif 000009
【図６Ｃ】
2014045445.tif 000010
【図６Ｄ】
2014045445.tif 000011
【図６Ｅ】
2014045445.tif 000012
【図７Ａ】
2014045445.tif 000013
【図７Ｂ】
2014045445.tif 000014
【図７Ｃ】
2014045445.tif 000015
【図７Ｄ】
2014045445.tif 000016
【図７Ｅ】
2014045445.tif 000017
【図８】
2014045445.tif 000018
【図９】
2014045445.tif 000019
【図１０】
2014045445.tif 000020
【図１１】
2014045445.tif 000021